(57)【要約】【課題】ブリーディングのない鮮明でシャープなインクジェット記録物を与えるインクジェット記録用インクセットを提供する。【解決手段】複数の顔料インクからなるインクジェット記録用インクセットは、先に被記録媒体に着液する顔料インクに含まれる顔料の平均粒子径が、後から被記録媒体に着液する顔料インクの顔料の平均粒子径以下であり、少なくとも２つの顔料インクに含まれる顔料の平均粒子径が異なるように構成されている。先に被記録媒体に着液する顔料インクに含まれる顔料の累積７５％粒子径は、後から被記録媒体に着液する顔料インクに含まれる顔料の累積２５％粒子径よりも小さい。また、先に被記録媒体に着液する顔料インクの動的表面張力が、後から被記録媒体に着液する顔料インクの動的表面張力以下である。【選択図】なし【特許請求の範囲】
【請求項１】
複数の顔料インクからなるインクジェット記録用インクセットであって、先に被記録媒体に着液する顔料インクに含まれる顔料の平均粒子径が、後から被記録媒体に着液する顔料インクに含まれる顔料の平均粒子径以下であり、少なくとも２つの顔料インクに含まれる顔料の平均粒子径が異なることを特徴とするインクジェット記録用インクセット。
【請求項２】
先に被記録媒体に着液する顔料インクに含まれる顔料の累積７５％粒子径が、後から被記録媒体に着液する顔料インクに含まれる顔料の累積２５％粒子径よりも小さいことを特徴とする請求項１に記載のインクジェット記録用インクセット。
【請求項３】
先に被記録媒体に着液する顔料インクの動的表面張力が、後から被記録媒体に着液する顔料インクの動的表面張力以下であることを特徴とする請求項１又は２に記載のインクジェット記録用インクセット。
【請求項４】
複数の顔料インクが、ブラックインク及びイエローインクであることを特徴とする請求項１〜３のいずれかに記載のインクジェット記録用インクセット。
【請求項５】
複数の顔料インクが、ブラックインク、イエローインク、マゼンタインク及びシアンインクであることを特徴とする請求項１〜３のいずれかに記載のインクジェット記録用インクセット。
【請求項６】
インクジェット記録用インクセットを構成する複数の顔料インクをインクジェットヘッドから被記録媒体に吐出させ、該被記録媒体にインクジェット記録画像を形成するインクジェット記録方法において、インクジェット記録用インクセットとして、顔料の平均粒子径が異なる少なくとも２つの顔料インクを使用し、該インクジェット記録用インクセットの任意の顔料インクを被記録媒体に着液させ、続いて、該任意の顔料インクに含まれる顔料の平均粒子径以上の平均粒子径を有する顔料を含有する別の顔料インクを被記録媒体に着液させることを特徴とするインクジェット記録方法。
【請求項７】
該任意の顔料インクに含まれる顔料の累積７５％粒子径が、該別の顔料インクに含まれる累積２５％粒子径よりも小さいことを特徴とする請求項６に記載のインクジェット記録方法。
【請求項８】
該任意の顔料インクの動的表面張力が、該別の顔料インクの動的表面張力以下であることを特徴とする請求項６又は７に記載のインクジェット記録方法。
【請求項９】
複数の顔料インクが、ブラックインク及びイエローインクであることを特徴とする請求項６〜８のいずれかに記載のインクジェット記録方法。
【請求項１０】
複数の顔料インクが、ブラックインク、イエローインク、マゼンタインク及びシアンインクであることを特徴とする請求項６〜８のいずれかに記載のインクジェット記録方法。
【請求項１１】
複数の顔料インクからなるインクジェット記録用インクセットであって、先に被記録媒体に着液する顔料インクに含まれる顔料の平均粒子径が、後から被記録媒体に着液する顔料インクに含まれる顔料の平均粒子径以下であり、少なくとも２つの顔料インクに含まれる顔料の平均粒子径が異なるインクジェット記録用インクセットと、
該インクジェット記録用インクセットを構成する顔料インクを被記録媒体に向けて吐出させるインクジェットヘッドと、
該インクジェット記録用インクセットの任意の顔料インクを被記録媒体に着液させ、続いて、該任意の顔料インクに含まれる顔料の平均粒子径以上の平均粒子径を有する顔料を含有する別の顔料インクを被記録媒体に着液させて、被記録媒体にインクジェット記録画像を形成する手段と
を備えていることを特徴とするインクジェット記録装置。
【発明の詳細な説明】
【技術分野】
【０００１】
本発明は、インクジェット記録用インクセット、インクジェット記録方法及びインクジェット記録装置に関する。
【背景技術】
【０００２】
染料よりも耐光性、耐水性及び耐オゾン性の点で一般的に優れている顔料を着色剤として使用する顔料インクを複数組み合わせたインクジェット記録用水性インクセットが広く用いられている。このような水性インクセットを用いて普通紙にインクジェット記録を行って得られるインクジェット記録物においては、ある顔料インクを用いて形成された色領域と別の顔料インクを用いて形成された色領域との境界部で、異なる顔料インク同士が混ざり合って生ずるブリーディングが問題となっていた。
【０００３】
このようなブリーディングを抑制するために、ブラックインクに含まれる顔料粒子とカラーインクに含まれる顔料粒子との間の粒子径の相対的サイズを調整したインクジェット記録用インクセットが提案されている（特許文献１）。
【０００４】
【特許文献１】特開２００３−８２２６７号公報
【発明の開示】
【発明が解決しようとする課題】
【０００５】
しかしながら、ブラックインクに含まれる顔料粒子とカラーインクに含まれる顔料粒子との間の粒子径の相対的サイズを調整しただけでは、ブリーディングのない鮮明でシャープなインクジェット記録物が得られなかった。
【０００６】
本発明は、前述した課題を解決するためになされたものであり、ブリーディングのない鮮明でシャープなインクジェット記録物を与えるインクジェット記録用インクセット、インクジェット記録方法及びインクジェット記録装置を提供することを目的とする。
【課題を解決するための手段】
【０００７】
本発明者らは、先に被記録媒体に着液させる顔料インクに含まれる顔料の平均粒子径を、後から被記録媒体に着液させる顔料インクに含まれる顔料の平均粒子径以下とし、且つ複数の顔料インクの少なくとも２つの顔料インクに含まれる顔料の平均粒子径が異なるようにすると、上述の目的を達成できることを見出し、本発明を完成させるに至った。
【０００８】
即ち、本発明は、複数の顔料インクからなるインクジェット記録用インクセットであって、先に被記録媒体に着液する顔料インクに含まれる顔料の平均粒子径が、後から被記録媒体に着液する顔料インクに含まれる顔料の平均粒子径以下であり、少なくとも２つの顔料インクに含まれる顔料の平均粒子径が異なることを特徴とするインクジェット記録用インクセットを提供する。
【０００９】
また、本発明は、インクジェット記録用インクセットを構成する複数の顔料インクをインクジェットヘッドから被記録媒体に吐出させ、該被記録媒体にインクジェット記録画像を形成するインクジェット記録方法において、インクジェット記録用インクセットとして、顔料の粒子径が異なる少なくとも２つの顔料インクを使用し、該インクジェット記録用インクセットの任意の顔料インクを被記録媒体に着液させ、続いて、該任意の顔料インクに含まれる顔料の平均粒子径以上の平均粒子径を有する顔料を含有する別の顔料インクを、被記録媒体に着液させることを特徴とするインクジェット記録方法を提供する。
【００１０】
更に、本発明は、複数の顔料インクからなるインクジェット記録用インクセットであって、先に被記録媒体に着液する顔料インクに含まれる顔料の平均粒子径が、後から被記録媒体に着液する顔料インクに含まれる顔料の平均粒子径以下であり、少なくとも２つの顔料インクに含まれる顔料の平均粒子径が異なるインクジェット記録用インクセットと、
該インクジェット記録用インクセットを構成する顔料インクを被記録媒体に向けて吐出させるインクジェットヘッドと、
該インクジェット記録用インクセットの任意の顔料インクを被記録媒体に着液させ、続いて、該任意の顔料インクに含まれる顔料の平均粒子径以上の平均粒子径を有する顔料を含有する別の顔料インクを被記録媒体に着液させて、被記録媒体にインクジェット記録画像を形成する手段と
を備えていることを特徴とするインクジェット記録装置を提供する。
【発明の効果】
【００１１】
本発明のインクジェット記録用インクセットは、先に被記録媒体に着液する顔料インクに含まれる顔料の平均粒子径が、後から被記録媒体に着液する顔料インクに含まれる顔料の平均粒子径以下であり、複数の顔料インクの少なくとも２つの顔料インクに含まれる顔料の平均粒子径が異なる。このため、後から被記録媒体に着液する顔料インクに含まれる顔料が、先に被記録媒体に着液した顔料インクに含まれる顔料の隙間に入り込みにくく、拡散しにくくなる。よってインクジェット記録物の異なる色の境界におけるブリーディングを軽減することができる。
【発明を実施するための最良の形態】
【００１２】
本発明のインクジェット記録用インクセットは、複数の顔料インクからなり、先に被記録媒体に着液する顔料インクに含まれる顔料の平均粒子径が、後から被記録媒体に着液する顔料インクに含まれる顔料の平均粒子径以下であり、複数の顔料インクの少なくとも２つの顔料インクに含まれる顔料の平均粒子径が異なる。
【００１３】
従って、インクセットが２種類の顔料インク（Ａインク（顔料の平均粒子径：Ａａ）及びＢインク（顔料の平均粒子径：Ｂｂ））から構成される場合には、先に被記録媒体に着液するＡインクに含まれる顔料の平均粒子径（Ａａ）が、後から被記録媒体に着液するＢインクに含まれる顔料の平均粒子径（Ｂｂ）よりも必ず小さくなる。
【００１４】
【数１】
2008169325.tif 000002
【００１５】
また、インクセットが３種類の顔料インク（Ａインク（顔料の平均粒子径：Ａａ）、Ｂインク（顔料の平均粒子径：Ｂｂ）及びＣインク（顔料の平均粒子径：Ｃｃ））から構成され、これら３種の顔料インクがＡインク、Ｂインク、Ｃインクの順で被記録媒体に着液する場合、これら３種の顔料インクに含まれる顔料の平均粒子径の大小関係は、以下の関係式のいずれかで表される。
【００１６】
【数２】
2008169325.tif 000003
【００１７】
また、インクセットが４種類の顔料インク（Ａインク（顔料の平均粒子径：Ａａ）、Ｂインク（顔料の平均粒子径：Ｂｂ）、Ｃインク（顔料の平均粒子径：Ｃｃ）及びＤインク（顔料の平均粒子径：Ｄｄ））から構成され、これら４種の顔料インクがＡインク、Ｂインク、Ｃインク、Ｄインクの順で被記録媒体に着液する場合、これら４種の顔料インクに含まれる顔料の平均粒子径の大小関係は、以下の関係式のいずれかで表される。
【００１８】
【数３】
2008169325.tif 000004
【００１９】
本発明において、顔料の平均粒子径は、ＪＩＳ  Ｚ８８１９−２等で定義される体積で重みづけされた体積平均粒子径のことであり、例えば、堀場製作所（株）製の動的光散乱式粒径分布測定装置ＬＢ５００等を用いて測定することができる。
【００２０】
また、「先に被記録媒体に着液する顔料インクに含まれる顔料の平均粒子径が、後から被記録媒体に着液する顔料インクに含まれる顔料の平均粒子径以下」の具体的かつ好ましい程度は、先に被記録媒体に着液する顔料インクに含まれる顔料の累積７５％粒子径が、後から被記録媒体に着液する顔料インクに含まれる顔料の累積２５％粒子径よりも小さいということである。この条件を満たせば、ブリーディングの抑制効果をより一層高めることができる。即ち、先に被記録媒体に着液させる顔料インクに含まれる顔料を顔料Ｘとし、後から被記録媒体に着液させる顔料インクに含まれる顔料を顔料Ｙとしたとき、それぞれの顔料の粒子径に対して累積体積カーブのプロファイルを求めたとき、顔料Ｘの累積カーブが７５％となる粒子径（累積７５％粒子径）が、顔料Ｙの累積カープが２５％となる粒子径（累積２５％粒子径）よりも小さくなるようにすることが好ましい。
【００２１】
また、本発明において、先に被記録媒体に着液する顔料インクの動的表面張力は、後から被記録媒体に着液する顔料インクの動的表面張力以下である。インク等の液体の動的表面張力は、静的表面張力と異なるライフタイム数１０〜数１０００ｍｓオーダーでの表面張力である。動的表面張力は、着液（着弾）した際のインクの被記録材への浸透性に大きな影響があると考えられる。動的表面張力が高いとインクの被記録媒体への浸透性が低く、逆に動的表面張力が低いとインクの被記録媒体への浸透性が高い。従って、先に被記録媒体に着液する顔料インクの動的表面張力が、後から被記録媒体に着液する顔料インクの動的表面張力以下であると、先に着液した顔料インクが被記録媒体に充分に浸透した後に、被記録媒体に浸透しにくい顔料インクが被記録媒体に着液することになり、結果的にブリーディングが抑制されることになる。なお、一般的なインクジェット記録方法において、インクジェットインクが被記録媒体に着液した際のインクジェットインクの被記録媒体に対する浸透現象は数１０ｍｓオーダーである。従って、本発明においては、動的表面張力測定装置の誤差等を勘案し、その測定精度が安定するライフタイム１００ｍｓでの動的表面張力値を採用する。また、測定温度は、インクの通常使用温度である２５℃とする。
【００２２】
このような動的表面張力の測定手法を以下に示す。
【００２３】
インク等の液体の動的表面張力は、一般に振動ジェット法、メニスカス法、最大泡圧法等によって測定されることは知られているが、本発明で規定する動的表面張力の値は、最大泡圧法（バブルプレッシャー法）によるものである（協和界面科学（株）製の自動動的表面張力計ＢＰ−Ｄ４等を用いて測定可能）。最大泡圧法による動的表面張力測定では、気体供給源から気体をプローブに送り、インクに浸したプローブ先端から気泡を発生させる。この際の気体流量を変化させることで、気体発生速度を変え、それに伴い変化するインクからその気泡にかかる圧力により表面張力を測定する。気泡の半径がプローブ先端部分の半径に等しくなるとき、最大圧力(最大泡圧)を示す。このときのインクの表面張力σは、以下の式で表される。
【００２４】
【数４】
2008169325.tif 000005
【００２５】
ここで、ｒはプローブ先端部分の半径、ΔＰは気泡にかかる圧力の最大値と最小値との差であり、その最大値は気泡の曲率半径がプローブ先端部分の半径と等しい時の最大圧力（最大泡圧）である。また、ライフタイムとは、最大泡圧後に気泡がプローブから離れて、新しい表面が形成されてから次の最大泡圧に達するまでの時間を示す。
【００２６】
なお、本発明のインクジェット記録用インクセットを構成する複数の顔料インクの「複数」とは、少なくとも２種という意味である。顕著にブリーディング抑制効果が観察できる組み合わせは、ブラックインク及びイエローインクの組み合わせである。また、複数の顔料インクとして、ブラックインク、イエローインク、マゼンタインク及びシアンインクを併用すると、フルカラー画像記録に好ましいインクセットを構成できる。
【００２７】
次に、顔料の具体例を示す。ブラックインクに使用される顔料としては、例えば、ＭＡ７、ＭＡ８、ＭＡ１００（三菱化学（株）製）、カラーブラックＦＷ２００（デグサ製）等のカーボンブラックが挙げられる。イエローインクに使用される顔料としては、Ｃ．Ｉ．ピグメントイエロー３、１３、７４、８３、１２８及び１５４等が挙げられる。マゼンタインクに使用される顔料としては、Ｃ．Ｉ．ピグメントレッド５、４８、１１２、１２２、１７７、２０２及び２０７等が挙げられる。シアンインクに使用される顔料としては、Ｃ．Ｉ．ピグメントブルー１５、１５：３、１５：４、１６及び６０等が挙げられる。なお、これらは本発明に好適な顔料の一例の記載であり、これらによって本発明が限定されるものではない。
【００２８】
本発明のインクジェット記録用インクセットの顔料インクに含まれる顔料の含有量は、所期の印字濃度及び色彩等により異なるが、少なすぎると紙等の被記録媒体上での発色が不充分であり、多すぎるとインクジェットヘッドのノズルの目詰まりが起きやすくなるので、インク全量に対して好ましくは０．１〜１０重量％、より好ましくは１〜７重量％である。
【００２９】
顔料インクには、その分散安定性を維持するために顔料用分散剤を添加しても良い。分散剤としては、例えば、高分子分散剤、界面活性剤等を挙げることができる。高分子分散剤としては、ゼラチン、アルブミン等の蛋白質；アラビアゴム、トラガントゴム等の天然ゴム類；サポニン等のグルコシド；メチルセルロース、カルボキシセルロース、ヒドロキシメチルセルロース等のセルロース誘導体；リグニンスルホン酸塩、セラック等の天然高分子；ポリアクリル酸塩、スチレン−アクリル酸共重合物の塩、ビニルナフタレン−アクリル酸共重合物の塩、スチレン−マレイン酸共重合物の塩、ビニルナフタレン−マレイン酸共重合物の塩、β−ナフタレンスルホン酸ホリマリン縮合物のナトリウム塩及びリン酸塩等の陰イオン性高分子；ポリビニルアルコール、ポリビニルピロリドン、ポリエチレングリコール等の非イオン性高分子等が挙げられる。界面活性剤としては、高級アルコール硫酸エステル塩類、液体脂肪油硫酸エステル塩類、アルキルアリルスルホン酸塩類等の陰イオン界面活性剤；ポリオキシエチレンアルキルエーテル、ポリオキシエチレンアルキルエステル、ソルビタンアルキルエステル、ポリオキシエチレンソルビタンアルキルエステル等の非イオン性界面活性剤が挙げられる。分散剤は、単独又は２種以上を適宜選択して使用できる。
【００３０】
これらの分散剤は、顔料の種類や分散剤の種類によって、分散剤として機能する適切な含有量が適宜決定されるが、少なすぎると顔料の分散安定性が不充分であり、多すぎるとインクの粘度が上昇してインクジェットヘッドからの吐出が困難となるため、好ましくは顔料に対して５〜５０重量％、より好ましくは１０〜４０重量％である。
【００３１】
顔料インクに顔料用分散剤を添加する場合、分散装置を使用して更に分散させた顔料を使用することが好ましい。顔料の分散に使用する分散装置としては、一般的な分散機であれば特に限定はされないが、例えば、ボールミル、ロールミル、サンドミル等が挙げられる。その中でも高速型のサンドミルが好ましい。
【００３２】
本発明のインクジェット記録用インクセットにおいて、インクに用いる水としては、脱イオン水を使用することが好ましい。水の含有量は、併用する水溶性有機溶剤の種類、組成及び所望とされるインクの特性に依存して広い範囲で決定されるが、少なすぎるとインクの粘度が上昇してインクジェットヘッドからの吐出が困難となり、多すぎると水分蒸発によって着色剤の沈殿、凝集等が生じてインクジェットヘッドのノズルの目詰まりが起きやすくなるので、インク全量に対して好ましくは１０〜９５重量％、より好ましくは１０〜８０重量％である。
【００３３】
本発明のインクジェット記録用インクセットにおいて、インクに用いる水溶性有機溶剤は、湿潤剤と浸透剤に大別される。湿潤剤として使用される水溶性有機溶媒は、インクジェットヘッドのノズルの目詰まりを防止するためにインクに添加されるものである。また、浸透剤として使用される水溶性有機溶媒は、印字した際、インクを速やかに被記録媒体内部に浸透させるためにインクに添加されるものである。
【００３４】
湿潤剤としては、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；１，３−ブタンジオール、１，５−ペンタンジオール、１，６−ヘキサンジオール、グリセリン、１，２，６−ヘキサントリオール、１，２，４−ブタントリオール、１，２，３−ブタントリオール、ペトリオール等の多価アルコール類；エチレングリコール、ジエチレングリコール、トリエチレングリコール、プロピレングリコール、ジプロピレングリコール、トリプロピレングリコール、ブチレングリコール、チオジグリコール、ヘキシレングリコール等のアルキレングリコール；ポリエチレングリコール、ポリプロピレングリコール等のポリアルキレングリコール；ホルムアミド、Ｎ−メチルホルムアミド、Ｎ，Ｎ−ジメチルホルムアミド、ジメチルアセトアミド等のアミド；モノエタノールアミン、ジエタノールアミン、トリエタノールアミン、モノエチルアミン、ジエチルアミン、トリエチルアミン等のアミン；アセトン、ジアセトンアルコール等のケトン又はケトアルコール；テトラヒドロフラン、ジオキサン等のエーテル；２−ピロリドン、Ｎ−メチル−２−ピロリドン、Ｎ−ヒドロキシエチル−２−ピロリドン等；１，３−ジメチルイミダゾリジノン、ε−カプロラクタム等の含窒素複素環化合物；ジメチルスルホキシド、スルホラン、チオジエタノール等の含硫黄化合物；等が挙げられる。中でも、アルキレングリコール、グリセリン等の多価アルコールが好ましい。これら湿潤剤は、単独又は２種類以上を混合して用いることも可能である。湿潤剤としての水溶性有機溶剤の含有量は、少なすぎるとインクジェットヘッドのノズルの目詰まりを防止するために不充分であり、多すぎるとインクの粘度が上昇してインクジェットヘッドからの吐出が困難となるので、好ましくはインク全量に対して５〜５０重量％、より好ましくは１０〜４０重量％である。
【００３５】
一方、浸透剤としては、例えば、エチレングリコールメチルエーテル、エチレングリコールエチルエーテル、エチレングリコールプロピルエーテル、エチレングリコールブチルエーテル、ジエチレングリコールメチルエーテル、ジエチレングリエチルエーテル、ジエチレングリコールプロピルエーテル、ジエチレングリコールブチルエーテル、ジエチレングリコールジメチルエーテル、ジエチレングリコールジエチルエーテル、ジエチレングリコールジプロピルエーテル、ジエチレングリコールジブチルエーテル、トリエチレングリコールメチルエーテル、トリエチレングリコールエチルエーテル、トリエチレングリコールプロピルエーテル、トリエチレングリコールブチルエーテル、トリエチレングリコールジメチルエーテル、トリエチレングリコールジエチルエーテル、トリエチレングリコールジプロピルエーテル、トリエチレングリコールジブチルエーテル、プロピレングリコールメチルエーテル、プロピレングリコールエチルエーテル、プロピレングリコールプロピルエーテル、プロピレングリコールブチルエーテル、ジプロピレングリコールメチルエーテル、ジプロピレングリコールエチルエーテル、ジプロピレングリコールプロピルエーテル、ジプロピレングリコールブチルエーテル、ジプロピレングリコールジメチルエーテル、ジプロピレングリコールジエチルエーテル、ジプロピレングリコールジプロピルエーテル、ジプロピレングリコールジブチルエーテル、トリプロピレングリコールメチルエーテル、トリプロピレングリコールエチルエーテル、トリプロピレングリコールプロピルエーテル、トリプロピレングリコールブチルエーテル、トリプロピレングリコールジメチルエーテル、トリプロピレングリコールジエチルエーテル、トリプロピレングリコールジプロピルエーテル、トリプロピレングリコールジブチルエーテル等が挙げられる。これら浸透剤は、単独又は２種類以上を混合して用いることも可能である。浸透剤としての水溶性有機溶剤の含有量は、少なすぎると浸透性が不充分であり、多すぎると過剰な浸透性によってフェザリング等の滲みを生じやすくなるので、インク全量に対して好ましくは０．１〜１０重量％、より好ましくは０．５〜７重量％である。
【００３６】
本発明のインクジェット記録用インクセットにおいて、顔料インクの基本組成は以上の通りであるが、その他従来公知の界面活性剤；ポリビニルアルコール、ポリビニルピロリドン及び水溶性樹脂等の粘度調製剤；表面張力調整剤；防黴剤；防錆剤；ｐＨ調整剤等を必要に応じて添加することができる。
【００３７】
本発明のインクジェット記録用インクセットは、常法によりインクを調製し、それらを所望のインクカートリッジに収容することにより製造することができる。
【００３８】
次に、本発明のインクジェット記録方法について説明する。このインクジェット記録方法は、前述の本発明のインクジェット記録用インクセットを構成する複数の顔料インクをインクジェットヘッドから普通紙や光沢紙等の被記録媒体に吐出させ、該被記録媒体にインクジェット記録画像を形成する記録方法である。この記録方法においては、インクジェット記録用インクセットの任意の顔料インク（換言すれば、先に被記録媒体に着液させるべき顔料インク）を被記録媒体に着液させ、続いて、該任意の顔料インクに含まれる顔料の平均粒子径以上の平均粒子径を有する顔料を含有する別の顔料インク（換言すれば、後から被記録媒体に着液させるべき顔料インク）を被記録媒体に着液させる。これにより、異なる顔料インクの間のブリーディングを抑制することができる。複数の顔料インクとしては、ブラックインク及びイエローインクの組み合わせが好ましく、ブラックインク、イエローインク、マゼンタインク及びシアンインクの組み合わせも好ましい。
【００３９】
なお、本発明のインクジェット記録方法においては、ブリーディングをより一層抑制するために、該任意の顔料インクに含まれる顔料の累積７５％粒子径を、該別の顔料インクに含まれる顔料の累積２５％粒子径よりも小さくすることが好ましい。更に、該任意の顔料インクの動的表面張力を、該別の顔料インクの動的表面張力以下とすることが好ましい。
【００４０】
次に、本発明のインクジェット記録装置について説明する。このインクジェット記録装置は、本発明のインクジェット記録用インクセットと、そのインクセットを構成する顔料インクを被記録媒体に吐出するインクジェットヘッドと、本発明のインクジェット記録方法を実施する手段とを備えるものである。ここで、被記録媒体及びインクジェットヘッドとしては、従来のインクジェット記録において用いられているものを適宜使用することができる。例えば、インクジェットヘッドとしては、圧電吐出タイプ、静電吐出タイプ及びサーマル吐出タイプ等のヘッドを使用することができる。また、インクジェットヘッドの吐出ノズル径としては、１０〜５０μｍのものを使用できる。
【００４１】
本発明のインクジェット記録方法を実施する手段としては、インクセットを構成する顔料インクに含まれる顔料の平均粒子径に応じて、吐出順序を制御できる任意の手段を採用し得る。具体的には、インクジェットヘッドが一方方向に移動するときのみ印字を行う片方向印字、インクジェットヘッドの両方向移動時ともに印字を行う際にはインクジェットヘッドにおけるノズル配列を工夫する等が挙げられる。
【実施例】
【００４２】
以下に、実施例及び比較例により本発明を具体的に説明するが、本発明はこれらの実施例に限定されるものではない。また、本発明は、本発明の趣旨を逸脱しない限りにおいて、当業者の知識に基づいて、種々なる変更、修正及び改良等を加え得るものである。
【００４３】
（インクの調製）
１）ブラックインク１（Ｂｋ１）
ＭＡ７（カーボンブラック含量２０％；三菱化学（株）製）：２５重量％、Ｄｉｓｐｅｒｂｙｋ（登録商標）−１９０（ビックケミー・ジャパン（株）製）：２５重量％、グリセリン：１０重量％及び水（イオン交換水）：４０重量％を混合した後、ナノマイザー（ナノマイザー社製）を用いて９８ＭＰＡの圧力にて分散処理を行い、カーボンブラック分散液を得た。このカーボンブラック分散液を遠心分離機にかけて、粗大粒子を除去した。さらに、水（イオン交換水）：５５．９重量％、グリセリン：２０重量％、トリエチレングリコールブチルエーテル：４重量％及びサーフィノール（登録商標）４６５（エアープロダクツ社製）：０．１重量％を混合してインク溶媒：８０重量％を調製した。その後、調製したインク溶媒：８０重量％を攪拌中のカーボンブラック分散液：２０重量％に徐々に加え、さらに、３０分間撹拌した後に、孔径１μｍのメンブランフィルターにて濾過し、ブラックインク１を調製した。なお、インク全量に対するカーボンブラック含有量は、５重量％であった。
【００４４】
２）ブラックインク２〜４（Ｂｋ２〜Ｂｋ４）、イエローインク（Ｙ１〜Ｙ３）、マゼンタインク（Ｍ１〜Ｍ３）及びシアンインク（Ｃ１〜Ｃ３）の調製
ブラックインク１の調製方法にしたがい、表１に示されたインク組成を有するインクを調製した。なお、表１に示されたインク組成は、インク全量に含まれる実際のインク組成を重量％で示したものである。
【００４５】
（平均粒子径、累積２５％粒子径及び累積７５％粒子径の測定）
インクについて、顔料の平均粒子径、累積２５％粒子径及び累積７５％粒子径を、動的光散乱式粒径分布測定装置（堀場製作所（株）製；ＬＢ５００）を用いて測定した。得られた測定結果を表１に示した。
【００４６】
（動的表面張力の測定）
インクについて、動的表面張力を、自動動的表面張力計（協和界面科学（株）製；ＢＰ−Ｄ４）を用いて、測定温度２５℃、ライフタイム２０〜５０００ｍｓで測定を行い、ライフタイム１００ｍｓの測定値を読み取った。得られた測定結果を表１に示した。
【００４７】
実施例１〜７、比較例１〜４
表１に示したインクを所望のインクカートリッジに充填し、インクカートリッジを表２〜表４に示すように組み合わせてインクジェット記録用インクセットを構成し、インクジェット記録装置搭載デジタル複合機（ブラザー工業（株）製；ＤＣＰ−１１０Ｃ）に装着し印字評価を行った。テキスト印字パターンをｍ−ｒｅａｌ製ＤＡＴＡ  ＣＯＰＹ紙（普通紙）に印字し、印字評価を行った。ブリーディングを以下のように評価した。
【００４８】
＜ブリーディング評価＞
テキスト印字パターンについて、各インク記録部間のブリーディングを目視にて、以下の評価基準に従って評価した。評価結果を表２〜表４に示した。
Ａ：  ブリーディングが認められない
Ｂ：  ブリーディングがほとんど目立たない
Ｃ：  ブリーディングが目立ち、実用上問題ある
Ｄ：  明らかにブリーディングが目立ち、実用には向かない
【００４９】
【表１】
2008169325.tif 000006
【００５０】
【表２】
2008169325.tif 000007
【００５１】
【表３】
2008169325.tif 000008
【００５２】
【表４】
2008169325.tif 000009
【００５３】
実施例１のブラックインクとイエローインクとからなる２色のインクセットにおいては、先に着液するイエローインクが後から着液するブラックインクに比べ顔料の平均粒子径が充分小さく、イエローインクに含まれる顔料の累積７５％粒子径がブラックインクに含まれる顔料の累積２５％粒子径よりも小さかった。また、イエローインクがブラックインクに比べ動的表面張力が低かった。このため、ブリーディングが大きく抑制できた。
【００５４】
実施例２のブラックインクとイエローインクとからなる２色のインクセットにおいては、着液順序が実施例１の逆であり、ブラックインクがイエローインクより先に着液する。ブラックインクに含まれる顔料がイエローインクに含まれる顔料に比べて平均粒子径が充分小さく、ブラックインクに含まれる顔料の累積７５％粒子径がイエローインクに含まれる顔料の累積２５％粒子径よりも小さかった。また、ブラックインクがイエローインクに比べ動的表面張力が低かった。このため、ブリーディングが大きく抑制できた。
【００５５】
実施例３のブラックインクとイエローインクとからなる２色のインクセットにおいては、先に着液するブラックインクに含まれる顔料が後から着液するイエローインクに含まれる顔料に比べ平均粒子径が充分小さく、ブラックインクに含まれる顔料の累積７５％粒子径がイエローインクに含まれる顔料の累積２５％粒子径よりも小さかった。しかし、ブラックインクがイエローインクに比べ動的表面張力が大きかった。このため、実施例１及び実施例２のインクセットに比べてブリーディングの抑制レベルが若干低かったが、実用上問題のないブリーディング抑制効果が得られた。
【００５６】
実施例４のブラックインクとイエローインクとからなる２色のインクセットにおいては、先に着液するイエローインクに含まれる顔料が後から着液するブラックインクに含まれる顔料に比べ平均粒子径が小さく、またイエローインクがブラックインクに比べ動的表面張力が低かった。しかし、先に着液するイエローインクに含まれる顔料の累積７５％粒子径が後から着液するブラックインクに含まれる顔料の累積２５％粒子径よりも大きかった。このため、実施例１及び実施例２のインクセットに比べてブリーディングの抑制レベルが若干低かったが、実用上問題のないブリーディング抑制効果が得られた。
【００５７】
実施例５のブラックインク、シアンインク、マゼンタインク及びイエローインクという着液順序である４色のインクセットにおいては、着液順序が先になるインクが着液順序が後になるインクよりもそれぞれに含まれる顔料の平均粒子径がすべて充分小さく、着液順序が先になるインクに含まれる顔料の累積７５％粒子径が着液順序が後になるインクに含まれる顔料の累積２５％粒子径よりもすべて小さかった。また、着液順序が先になるインクが着液順序が後になるインクよりも動的表面張力がすべて小さかった。このため、すべてのインク記録部間におけるブリーディングが大きく抑制できた。
【００５８】
実施例６のブラックインク、マゼンタインク、シアンインク及びイエローインクという着液順序である４色のインクセットにおいては、着液順序が先になるインクが着液順序が後になるインクよりもそれぞれに含まれる顔料の平均粒子径がすべて充分小さかった。しかし、ブラックインクがマゼンタインクよりも動的表面張力が大きかった。また、シアンインクに含まれる顔料の累積７５％粒子径がイエローインクに含まれる顔料の累積２５％粒子径よりも大きかった。このため、ブラックインク記録部とマゼンタインク記録部間、シアンインク記録部とイエローインク記録部間のブリーディングの抑制レベルが若干低かったが、実用上問題のないブリーディング抑制効果が得られた。
【００５９】
実施例７のイエローインク、シアンインク、マゼンタインク及びブラックインクという着液順序である４色のインクセットにおいては、着液順序が先になるインクが着液順序が後になるインクよりもそれぞれに含まれる顔料の平均粒子径がすべて充分小さく、着液順序が先となるインクが着液順序が後となるインクよりも動的表面張力が小さかった。しかし、イエローインクに含まれる顔料の累積７５％粒子径がシアンインクに含まれる顔料の累積２５％粒子径よりも大きく、シアンインクに含まれる顔料の累積７５％粒子径がマゼンタインクに含まれる顔料の累積２５％粒子径よりも大きく、マゼンタインクに含まれる顔料の累積７５％粒子径がブラックインクに含まれる顔料の累積２５％粒子径よりも大きかった。このため、イエローインク記録部とシアンインク記録部間、シアンインク記録部とマゼンタインク記録部間及びマゼンタインク記録部とブラックインク記録部間のブリーディングの抑制レベルが若干低かったが、実用上問題のないブリーディング抑制効果が得られた。
【００６０】
比較例１のブラックインクとイエローインクからなる２色のインクセットにおいては、先に着液するイエローインクが後から着液するブラックインクよりも動的表面張力が小さかったが、イエローインクに含まれる顔料の平均粒子径がブラックインクに含まれる顔料の平均粒子径よりも大きかった。このため、ブリーディングが抑制できなかった。
【００６１】
比較例２のブラックインクとイエローインクからなる２色のインクセットにおいては、着液順序が比較例１の逆であり、ブラックインクがイエローインクよりも先に着液した。先に着液するブラックインクがイエローインクよりも動的表面張力が小さかったが、ブラックインクに含まれる顔料の平均粒子径がイエローインクに含まれる顔料の平均粒子径よりも大きかった。このため、ブリーディングが抑制できなかった。
【００６２】
比較例３のブラックインクとイエローインクからなる２色のインクセットにおいては、先に着液するブラックインクが後から着液するイエローインクよりも動的表面張力が大きく、ブラックインクに含まれる顔料の平均粒子径がイエローインクに含まれる顔料の平均粒子径よりも大きかった。このため、明らかにブリーディングが抑制されておらず、実用には向かなかった。
【００６３】
比較例４のイエローインク、シアンインク、マゼンタインク及びブラックインクという着液順序である４色のインクセットにおいては、先に着液するインクに含まれる顔料の平均粒子径が後から着液するインクに含まれる顔料の平均粒子径よりも大きかった。また、ブラックインクよりもマゼンタインクの方が動的表面張力が大きかった。これらのため、ブラックインク記録部とマゼンタインク記録部間では明らかにブリーディングが抑制されておらず、イエローインク記録部とシアンインク記録部間及びシアンインク記録部とマゼンタインク記録部間でもブリーディングが抑制されていなかった。
【産業上の利用可能性】
【００６４】
本発明によれば、普通紙に対してもブリーディングのない鮮明でシャープなインクジェット記録物を与えることができる。